(57)【要約】      （修正有）【課題】人体や衣服から吸引している塵埃の量を数値化することにより塵埃の有無、塵埃の種類および吸引している塵埃の量を明確に確認することができる塵埃除去装置を提供する。【解決手段】塵埃除去装置5は、吸引管と、本体部と、吸引ヘッドと、塵埃検出装置5とを備え、塵埃検出装置5は、連通路9内を流れている塵埃に連続光および光パルスのうち少なくともいずれか一方を照射する照明手段11と、照らされた塵埃を撮像する塵埃撮像手段12と、照明手段11および塵埃撮像手段12に対する送信信号を制御する送信信号制御手段と、塵埃撮像手段12により撮像された塵埃のデータを数値により表示する表示手段20とを備えている。【選択図】図２
2017032332.tif 000002
【特許請求の範囲】
【請求項１】
先端開口部が塵埃吸引口となされた吸引管と、先端開口部に設けられた吸引ヘッドと、吸引した塵埃を捕集する本体部とを備えた塵埃除去装置であって、
吸引管の基端部と本体部との間および吸引管の先端開口部と吸引ヘッドとの間のいずれか一方に塵埃が通過可能な連通路を有する塵埃検出装置が着脱可能に設けられており、
塵埃検出装置は、連通路内を流れている塵埃に連続光および光パルスのうち少なくともいずれか一方を照射する照明手段と、照らされた塵埃を撮像する塵埃撮像手段と、照明手段および塵埃撮像手段に対する送信信号を制御する送信信号制御手段と、塵埃撮像手段により撮像された塵埃のデータを数値により表示する表示手段とを備えていることを特徴とする塵埃除去装置。
【請求項２】
塵埃検出装置が連通路内を流れる塵埃の流速を計測する塵埃流速センサをさらに備えており、塵埃流速センサにより計測された塵埃の流速に対応して、送信信号制御手段が、照明手段による塵埃を照らす時間の長さを変化させ、塵埃の流速が相対的に速い場合、照明手段の照射時間が相対的に短くなり、塵埃の流速が遅い場合、照明手段の照射時間が長くなるように制御することを特徴とする請求項１記載の塵埃除去装置。
【請求項３】
塵埃検出装置が連通路内を流れる塵埃の有無を監視する塵埃監視センサを連通路の先端寄りにさらに備えており、照明手段および塵埃撮像手段が作動していない状態において、塵埃監視センサが塵埃の存在を検知すると送信信号制御手段が照明手段および塵埃撮像手段を作動させるように制御し、照明手段および塵埃撮像手段が作動している状態において、塵埃監視センサが塵埃の存在を検知しなくなると送信信号制御手段が照明手段および塵埃撮像手段の作動を停止させるように制御することを特徴とする請求項１または２記載の塵埃除去装置。
【発明の詳細な説明】
【技術分野】
【０００１】
本発明は、人体や衣服などに付着した塵埃を除去するための塵埃除去装置に関し、特に、食品工場の入り口に設置されて用いられる塵埃除去装置に関する。
【背景技術】
【０００２】
人体や衣服に付着した塵埃が食品工場内に持ち込まれると衛生面や品質面の問題が生じるため、これを防止するべく食品工場の入り口に塵埃を除去するための装置が設置されていることがある。
【０００３】
塵埃を除去するための装置として、例えば、先端開口が塵埃吸引口となされた吸引管と、吸引管から吸引された塵埃を捕集する集塵部を収納した本体部と、吸引管の塵埃吸引口に接続された吸引ヘッドとを備えたものが知られている（特許文献１参照）。
【先行技術文献】
【特許文献】
【０００４】
【特許文献１】実用新案登録第３０８６６６８号公報
【発明の概要】
【発明が解決しようとする課題】
【０００５】
上記のような塵埃除去装置は、目視できない塵埃を吸引しているか否かを確認する手段を備えていない。さらに、上記のような塵埃除去装置は、一人当たりどのくらいの量の塵埃が吸引されているか確認することができない。そのため、人体や衣服などに目視できない塵埃が付着しているにも関わらず、個々の判断で塵埃除去作業を終了してしまい、人体や衣服に塵埃が付着したままの状態で作業者が食品工場内に侵入してしまう可能性がある。
【０００６】
この発明の目的は、人体や衣服から吸引している塵埃の量を数値化することにより塵埃の有無、塵埃の種類および吸引している塵埃の量を明確に確認することができる塵埃除去装置を提供することにある。
【課題を解決するための手段】
【０００７】
この発明による塵埃除去装置は、先端開口部が塵埃吸引口となされた吸引管と、先端開口部に設けられた吸引ヘッドと、吸引した塵埃を捕集する本体部とを備えた塵埃除去装置であって、吸引管の基端部と本体部との間および吸引管の先端開口部と吸引ヘッドとの間のいずれか一方に塵埃が通過可能な連通路を有する塵埃検出装置が着脱可能に設けられており、塵埃検出装置は、連通路内を流れている塵埃に連続光および光パルスのうち少なくともいずれか一方を照射する照明手段と、照らされた塵埃を撮像する塵埃撮像手段と、照明手段および塵埃撮像手段に対する送信信号を制御する送信信号制御手段と、塵埃撮像手段により撮像された塵埃のデータを数値により表示する表示手段とを備えていることを特徴とするものである。
【０００８】
塵埃検出装置は、塵埃撮像手段により撮像したデータに基づいて塵埃の種類を判別する塵埃判別手段をさらに備えてもよい。塵埃判別手段は、例えば、送信信号制御手段によって判別された塵埃の種類ごとに点灯するランプとされる。
【０００９】
このようにすると、吸引した塵埃の種類をランプの点灯により容易に把握することができる。さらに、点灯したランプに対応した塵埃の量を数値化して表示手段により表示させると、塵埃の種類ごとに塵埃の吸引量も容易に把握することができる。
【００１０】
本発明による塵埃除去装置において、塵埃検出装置が連通路内を流れる塵埃の流速を計測する塵埃流速センサをさらに備えており、塵埃流速センサにより計測された塵埃の流速に対応して、送信信号制御手段が、照明手段による塵埃を照らす時間の長さを変化させ、塵埃の流速が相対的に速い場合、照明手段の照射時間が相対的に短くなり、塵埃の流速が遅い場合、照明手段の照射時間が長くなるように制御することが好ましい。
【００１１】
本発明による塵埃除去装置において、塵埃検出装置が連通路内を流れる塵埃の有無を監視する塵埃監視センサを連通路の先端寄りにさらに備えており、照明手段および塵埃撮像手段が作動していない状態において、塵埃監視センサが塵埃の存在を検知すると送信信号制御手段が照明手段および塵埃撮像手段を作動させるように制御し、照明手段および塵埃撮像手段が作動している状態において、塵埃監視センサが塵埃の存在を検知しなくなると送信信号制御手段が照明手段および塵埃撮像手段の作動を停止させるように制御することが好ましい。
【発明の効果】
【００１２】
請求項１に係る発明の塵埃除去装置によると、吸引管の基端部と本体部との間および吸引管の先端開口部と吸引ヘッドとの間のいずれか一方に塵埃が通過可能な連通路を有する塵埃検出装置が着脱可能に設けられており、塵埃検出装置は、連通路内を流れている塵埃に連続光および光パルスのうち少なくともいずれか一方を照射する照明手段と、照らされた塵埃を撮像する塵埃撮像手段と、照明手段および塵埃撮像手段に対する送信信号を制御する送信信号制御手段と、塵埃撮像手段により撮像された塵埃のデータを数値により表示する表示手段とを備えているので、数値化により塵埃の有無および吸引している塵埃の量を明確に確認することができる。
【００１３】
また、塵埃検出装置が、塵埃撮像手段により撮像したデータに基づいて塵埃の種類を判別する塵埃判別手段をさらに備えていると、塵埃の種類および塵埃の種類ごとの吸引量を容易に把握することができる。
【００１４】
請求項２に係る発明の塵埃除去装置によると、塵埃検出装置が連通路内を流れる塵埃の流速を計測する塵埃流速センサをさらに備えており、送信信号制御手段が、塵埃流速センサにより計測された塵埃の流速に対応して照明手段による塵埃を照らす時間の長さが変化し、塵埃の流速が相対的に速い場合、塵埃を照らす長さが相対的に短くなり、塵埃の流速が遅い場合、塵埃を照らす長さが長くなるように制御するので、塵埃を的確に捉えることができ、塵埃を撮像した際の画像のブレを少なくすることができる。その結果、塵埃検出装置の精度を向上させることができる。
【００１５】
請求項３に係る発明の塵埃除去装置によると、塵埃検出装置が連通路内を流れる塵埃の有無を監視する塵埃監視センサを連通路の先端寄りにさらに備えており、照明手段および塵埃撮像手段が作動していない状態において、塵埃監視センサが塵埃の存在を検知すると送信信号制御手段が照明手段および塵埃撮像手段を作動させるように制御し、照明手段および塵埃撮像手段が作動している状態において、塵埃監視センサが塵埃の存在を検知しなくなると送信信号制御手段が照明手段および塵埃撮像手段の作動を停止させるように制御するので、照明手段および塵埃撮像手段への電力供給が自動でオフとなり消費電力を削減することができる。
【図面の簡単な説明】
【００１６】
【図１】本発明の一実施形態に係る塵埃除去装置の正面図である。
【図２】塵埃除去装置の一部である塵埃検出装置の部分断面図である。
【図３】塵埃検出装置の連通路の一例を示す概略図である。
【図４】塵埃検出装置の連通路の他の例を示す部分概略図である。
【図５】図５（ａ）は、図３に示した照明手段の一例を示す断面図である。図５（ｂ）および図５（ｃ）は、照明手段の他の例を示す断面図である。
【発明を実施するための形態】
【００１７】
以下、図面を参照して、この発明の実施の形態を説明する。この実施形態において、図１の上下を上下、左右を左右というものとする。
【００１８】
図１および図２に示すように、塵埃除去装置(1)は、先端開口が塵埃吸引口となされた吸引管(2)と、吸引管(2)から吸引された塵埃を捕集する集塵部（図示略）および送風機（図示略）を収納した本体部(3)と、吸引管(2)の塵埃吸引口に接続された吸引ヘッド(4)と、吸引管(2)と本体部(3)との間に設けられた塵埃検出装置(5)とを備えている。
【００１９】
本体部(3)の右側壁には集塵部から排出された空気を本体部(3)の外部に排出するために排出口(3a)が設けられており、排出口(3a)の内側には、抗菌フィルタ(3b)が取り付けられている。
【００２０】
本体部(3)の上壁には、吸引管(2)を使用しない際に、吸引管(2)を保持するＵ字状の保持部材(3c)が取り付けられている。
【００２１】
集塵部は、塵埃を捕集する集塵袋と集塵袋を着脱可能に収納する集塵室とにより構成されている。なお、集塵部は、公知のものであるので詳細な説明は省略する。
【００２２】
塵埃検出装置(5)は、上側開口部および下側開口部を有するケーシング(6)と、上側開口部に設けられるとともに吸引管(2)の基端部に接続される上側接続管(7)と、下側開口部に設けられるとともに本体部(3)の上壁に設けられた挿入口に接続される下側接続管(8)と、ケーシング(6)内に設けられて上側接続管(7)と下側接続管管(8)とを連通した連通路(9)を有する検出部(10)とから構成されている。連通路(9)内は、外部から光が入射しないように完全に光を遮断している。
【００２３】
図２および図３に示すように、この実施形態において、検出部(10)は、連通路(9)内を流れている塵埃に光を照射する照明手段(11)と、照らされた塵埃を撮像する２つの塵埃撮像手段(12)と、照明手段(11)および塵埃撮像手段(12)を駆動させる駆動回路(13)、駆動回路(13)を介して照明手段(11)および塵埃撮像手段(12)へ送信する信号を制御するとともに塵埃撮像手段(12)により撮像した塵埃のデータを受信する送信信号制御手段(14)が搭載された制御基板(15)とを１組として４組備え、さらに連通路(9)内を流れる塵埃の流速を計測する塵埃流速センサ(16)と、連通路(9)内を流れる塵埃の有無を監視する塵埃監視センサ(17)と、送信信号制御手段(14)から受信したデータ信号を処理するデータ信号処理手段(18)と、データ信号処理手段(18)からの電気信号により塵埃の種類ごとに点灯するランプから成る塵埃判別手段(19)と、塵埃撮像手段(12)により撮像された塵埃のデータを数値により表示する表示手段(20)とを備えている。
【００２４】
各制御基板(15)には、電源回路(21)が装備されており、電源回路(21)が主電源(22)からの電力を各基板に装備された回路に供給している。また、各回路には、インターフェース（Ｉ／Ｆ）(23)を介して信号が送受信されている。
【００２５】
塵埃監視センサ(17)は、赤外線センサであり、照明手段(11)および塵埃撮像手段(12)への電力供給がオフの場合に塵埃を検知するとデータ信号処理手段(18)を介して検知信号を送信信号制御手段(14)に送信し、照明手段(11)および塵埃撮像手段(12)への電力供給がオンの場合に塵埃を検知しなくなるとデータ信号処理手段(18)を介して未検知信号を送信信号制御手段(14)に送信する。
【００２６】
送信信号制御手段(14)は、塵埃監視センサ(17)から検知信号を受信すると、駆動回路(13)を介して照明手段(11)および塵埃撮像手段(12)へそれぞれの電力供給をオンにする信号を送信し、塵埃監視センサ(17)から未検知信号を受信すると、駆動回路(13)を介して照明手段(11)および塵埃撮像手段(12)へそれぞれの電力供給をオフにする信号を送信する。
この実施形態では、照明手段(11)および塵埃撮像手段(12)への電力供給がオンの場合に塵埃監視センサ(17)が塵埃を検知しなくなると、未検知信号をデータ信号処理手段(18)に送信する構成としたが、この構成の他に、照明手段(11)および塵埃撮像手段(12)への電力供給がオンの場合に塵埃監視センサ(17)が塵埃を検知しなくなると、データ処理信号に対する検知信号の送信を停止する構成としてもよい。この場合、塵埃監視センサ(17)から検知信号の送信が停止されると送信信号制御手段(14)は駆動回路(13)を介して照明手段(11)および塵埃撮像手段(12)へそれぞれの電力供給をオフにする信号を送信する。
【００２７】
塵埃流速センサ(16)は、塵埃の相対的に速い速度を検知すると、データ信号処理手段(18)を介してその速度信号を送信信号制御手段(14)に送信する。送信信号制御手段(14)は、受信した速度信号に基づいて照明手段(11)の照射時間が相対的に短くなる信号を駆動回路(13)に送信する。
【００２８】
また、塵埃流速センサ(16)は、塵埃の相対的に遅い速度を検知すると、データ信号処理手段(18)を介してその速度信号を送信信号制御手段(14)に送信する。送信信号制御手段(14)は、受信した速度信号に基づいて照明手段(11)の照射時間が相対的に長くなる信号を駆動回路(13)に送信する。送信信号制御手段(14)は、照明手段(11)を制御する信号を送信するとともに照らされた塵埃を撮影するのに適切なシャッタースピードに設定する信号を駆動回路(13)へ送信する。
【００２９】
例えば、塵埃流速センサ(16)が秒速２０ｍの塵埃の相対的に速い速度を検知した場合、送信信号制御手段(14)は、幅１０ｍｍの光パルスが０．１ミリ秒間照射される信号を駆動回路(13)に送信する。また塵埃流速センサ(16)が秒速５ｍの塵埃の相対的に遅い流速を検知した場合、送信信号制御手段(14)は、幅１０ｍｍの光パルスが０．４ミリ秒間照射される信号を駆動回路(13)に送信する。塵埃撮像手段(12)は、照明手段(11)により照射された範囲を適切なシャッタースピードで撮影する。
【００３０】
光パルスの幅は、光源の大きさによって適宜決定され、光パルスの照射時間は、吸引されている塵埃が光パルスの幅、この実施形態では１０ｍｍの距離を移動する時間に基づいて算出される。秒速２０ｍの塵埃は、１０ｍｍの距離を０．５ミリ秒で移動するので、この移動時間よりも早い０．１ミリ秒で光を照射させると塵埃を的確に捉えることができ、塵埃を撮像した際の画像のブレを少なくすることができる。
【００３１】
照明手段(11)の光源は、図３の矢印で示した連通路(9)の空気流れ方向に対して直角となるように光を照射するＬＥＤ(11a)であり駆動回路(13)と接続されている。ＬＥＤ(11a)は、図２に示すように連通路(9)の周方向に３つ並べられて設けられており、周方向に並べられたＬＥＤ(11a)が図３に示すように吸引方向に間隔を開けて４か所設けられている。図５（ａ）に示すように照明手段(11)は、ＬＥＤ(11a)の光が拡散せずに照射されるように、反射板(11b)で集められて凸レンズ(11c)で通して集光して照射される。照明手段は、図５（ｂ）のように、凸レンズ(11c)を使用せず反射板(11b)を用いて照射されるように構成されてもよく、図５（ｃ）のように、反射板(11b)を使用せず凸レンズ(11c)を用いて照射されるように構成されてもよい。
【００３２】
塵埃撮像手段(12)は、１つの照明手段(11)を挟むように、空気の流れ方向上流側と下流側とにそれぞれ１つずつ設けられ、照明手段(11)により照射された塵埃を撮影できるように照明手段(11)の照射方向および空気流れ方向に対して傾斜している。図４に示すように、塵埃撮像手段(12)が、１つの照明手段(11)に対して照射方向および空気流れ方向の２方向に直角をなす方向に向けられた状態で塵埃を撮影するように設けられていると、それぞれの照明手段(11)に対する塵埃撮像手段(12)は１つでもよい。
【００３３】
塵埃撮像手段(12)は、ＣＣＤカメラやＣＭＯＳカメラとされており、駆動回路(13)および送信信号制御手段(14)と接続されている。
【００３４】
送信信号制御手段(14)は、塵埃撮像手段(12)により撮像された塵埃の形状（大きさおよび長さ）のデータを受信して、このデータにより塵埃量や塵埃の種類を判別しデータ信号としてデータ信号処理手段(18)に送信する。塵埃の種類は、塵埃の大きさと長さで判別される。
【００３５】
データ信号処理手段(18)は、送信信号制御手段(14)から受信したデータ信号に基づいて塵埃量およびその種類を集計し、その結果の電気信号を塵埃判別手段(19)および表示手段(20)に送信する。
【００３６】
塵埃判別手段(19)は、粉類、繊維類、ほこりの３種類の並べられたランプにより構成され、データ信号処理手段(18)からの電気信号により点灯させられる。中央の位置に設けられたランプの下方に、塵埃監視センサ(17)によって塵埃が検知されている場合に点灯するランプ(24)が設けられている。この実施形態では、塵埃判別手段(19)が、粉類、繊維類、ほこりの３種類のランプとされているが、これらの他に、皮膚片用のランプなどの塵埃の種類のランプを追加してもよい。
【００３７】
表示手段(20)は、塵埃検出装置(5)の外部から視認できるようにケーシング(6)に設けられており、データ信号処理手段(18)からの電気信号により塵埃の量をデジタル数字によって表示する。表示手段(20)は、例えば、７セグメントディスプレイや液晶ディスプレイとされる。
【００３８】
塵埃の検出は、例えば、連通路(9)内を秒速２０ｍの空気が流れている状態において、照明手段(11)によって空気流れ方向に対して垂直方向に幅１０ｍｍの光パルスが０．１ミリ秒間連通路(9)内に複数回照射され、光が照射された範囲内の塵埃を塵埃撮像手段(12)が撮影することによりなされる。
【００３９】
撮影された塵埃のうち、糸状や繊維状の細く長いものは、光パルスの１０ｍｍ幅を遮るように長く線のように写し出された画像となり、細かく小さいものは、光パルスの１０ｍｍ幅より狭くかつ点のように写し出された画像となり、大きいものは、太く写し出された画像となる。
【００４０】
塵埃の大きさや長さは、塵埃撮像手段(12)の撮影方向に対する塵埃の断面積に比例するので、撮像された画像から実際の塵埃の大きさや長さを推定することができる。吸引されている塵埃の速度に対して、十分に高速なシャッタースピードで撮影すれば画像のブレは少なくなり、撮影された画像から実際の塵埃の大きさや長さを推定することが容易となる。
【００４１】
このように、塵埃の大きさと長さによって、細く長いものは繊維類、細かいものは粉類、その他のものはほこりとして塵埃の種類が判別される。
【００４２】
上記構成において、この発明の塵埃検出装置(5)の動作について説明する。
【００４３】
塵埃が連通路(9)内に吸引されると塵埃監視センサ(17)が塵埃を検知しデータ信号処理手段(18)を介して検知信号を送信信号制御手段(14)へ送信する。検知信号を受信した送信信号制御手段(14)は照明手段(11)および塵埃撮像手段(12)への電力供給がオンとなる信号を駆動回路(13)へ送信する。すなわち、作業者が塵埃を吸引すると自動的に照明手段(11)および塵埃撮像手段(12)への電力供給がオンとなる。さらに、塵埃流速センサ(16)が塵埃の流速を検知しデータ信号処理手段(18)を介して速度信号を送信信号制御手段(14)へ送信する。速度信号を受信した送信信号制御手段(14)は、速度信号に基づいて照明手段(11)が適切な照射時間となる信号を駆動回路(13)へ送信するとともに塵埃撮像手段(12)が適切なシャッタースピードに設定される信号を駆動回路(13)へ送信する。
【００４４】
塵埃が連通路(9)を通過する際、照明手段(11)により照らされた塵埃が塵埃撮像手段(12)により撮影され、撮影された塵埃の大きさおよび長さのデータが送信信号制御手段(14)に送信されて送信信号制御手段(14)により塵埃量の集計および塵埃の種類の判別がなされる。送信信号制御手段(14)によって塵埃量および判別された塵埃の種類がデータ信号としてデータ信号処理手段(18)に送信される。データ信号処理手段(18)は、データ信号に基づいて塵埃量および判別された塵埃の種類を集計し、塵埃の種類に対応したランプ（塵埃判別手段(19)）を点灯させるとともに表示手段(20)にその塵埃の量を数値で表示させる。例えば、繊維類のランプが点灯している場合は、吸引した繊維類の量が表示手段(20)に表示され、ほこりのランプが点灯している場合は、吸引したほこりの量が表示手段(20)に表示される。ランプの点灯は、吸引中に数秒毎に自動で切り替わるようにされてもよく、吸引終了後に数秒毎に自動で切り替わるようにされてもよい。
【００４５】
そして、照明手段(11)および塵埃撮像手段(12)への電力供給がオンの場合に、塵埃監視センサ(17)が塵埃を検知しなくなるとデータ信号処理手段(18)を介して塵埃監視センサ(17)が未検知信号を送信信号制御手段(14)へ送信する。未検知信号を受信した送信信号制御手段(14)は照明手段(11)および塵埃撮像手段(12)への電力供給がオフとなる信号を駆動回路(13)へ送信する。すなわち、塵埃の吸引が無くなると自動的に照明手段(11)および塵埃撮像手段(12)への電力供給がオフとなり、消費電力を削減することができる。
【００４６】
この実施形態では、照明手段(11)が光パルスを照射するとして説明したが、照明手段(11)が連続光を照射するとしてもよい。
【００４７】
照明手段(11)が連続光を照射する場合、塵埃流速センサ(16)が秒速２０ｍの塵埃の相対的に速い速度を検知すると、送信信号制御手段(14)は、秒速２０ｍの塵埃が連続光の幅１０ｍｍ間を移動する時間よりも早い０．１ミリ秒のシャッタースピードで撮影されるように制御する信号を駆動回路(13)へ送信し、塵埃流速センサ(16)が秒速５ｍの塵埃の相対的に遅い流速を検知すると、送信信号制御手段(14)は、秒速５ｍの塵埃が連続光の幅１０ｍｍ間を移動する時間よりも早い０．４ミリ秒のシャッタースピードで撮影されるように制御する信号を駆動回路(13)へ送信する。塵埃撮像手段(12)は、連続光が照射している範囲を撮影する。
【００４８】
以上のように、照明手段(11)が連続光および光パルスのうち少なくともいずれか一方を連通管内に照射し、塵埃撮像手段(12)が照射された範囲を撮影することにより塵埃を検出することができる。
【００４９】
また、この実施形態では、塵埃検出装置(5)が吸引管(2)と本体部(3)との間に設けられているとして説明したが、塵埃検出装置は、吸引管(2)と吸引ヘッド(4)との間に設けられてもよくこのような構成でも同様の効果を得ることができる。
【符号の説明】
【００５０】
１    塵埃除去装置
２    吸引管
３    本体部
４    吸引ヘッド
５    塵埃検出装置
９    連通路
１１  照明手段
１２  塵埃撮像装置
１４  送信信号制御手段
２０  表示手段
【図１】
2017032332.tif 000003
【図２】
2017032332.tif 000004
【図３】
2017032332.tif 000005
【図４】
2017032332.tif 000006
【図５】
2017032332.tif 000007